(57)【特許請求の範囲】
【請求項１】
第１の電子制御装置を有する、機械、プラント、または、車両により構成される第１の技術的装置の、少なくとも１つの動作状態を視覚的に表示するための、少なくとも１つの第１の点灯素子を備える少なくとも１つの第１の点灯ユニットを有する第１の警告ランプと、
前記第１の警告ランプの少なくとも１つの動作状態として、前記第１の技術的装置の少なくとも１つの前記動作状態についての前記第１の警告ランプによる表示状態を、視覚的に表示するための少なくとも１つの表示装置と、
を備えた警告灯装置であって、
少なくとも、前記第１の警告ランプと前記表示装置との間で、データおよび／または制御信号を伝送するための少なくとも１つの電子警告ランプ接続手段が設けられ、
前記表示装置は、少なくとも１つの第２の点灯素子を備える少なくとも１つの交換モジュールを有する、シグナルコラムとして構成され、前記第２の点灯素子の点灯／非点灯により警告ランプの前記表示状態を視覚的に表示する
ことを特徴とする警告灯装置。
【請求項２】
請求項１に記載の警告灯装置であって、
前記第１の警告ランプは、前記第１の技術的装置の複数の異なる動作状態を視覚的に表示するために設けられていること
を特徴とする警告灯装置。
【請求項３】
請求項１または２に記載の警告灯装置であって、
前記表示装置は、前記第１の技術的装置の複数の異なる動作状態に対応する前記第１の警告ランプによる複数の異なる表示状態を視覚的に表示するために設けられていること
を特徴とする警告灯装置。
【請求項４】
請求項１〜３のうちのいずれか１項に記載の警告灯装置であって、
前記第１の点灯ユニットは、交換モジュールであること
を特徴とする警告灯装置。
【請求項５】
請求項１〜４のうちのいずれか１項に記載の警告灯装置であって、
機械、プラント、または、車両により構成される第２の技術的装置の、少なくとも１つの動作状態を視覚的に表示するための、少なくとも１つの第２の点灯素子を備える少なくとも１つの第２の点灯ユニットを有する、少なくとも１つの第２の警告ランプが設けられ、
前記表示装置は、更に、前記第２の警告ランプの少なくとも１つの動作状態として、前記第２の技術的装置の少なくとも１つの前記動作状態についての前記第２の警告ランプによる表示状態を視覚的に表示するように構成されていること
を特徴とする警告灯装置。
【請求項６】
請求項５に記載の警告灯装置であって、
前記第２の警告ランプは、前記第２の技術的装置の複数の異なる動作状態を視覚的に表示するために設けられていること
を特徴とする警告灯装置。
【請求項７】
請求項５または６に記載の警告灯装置であって、
前記表示装置は、前記第１および第２の技術的装置の複数の異なる動作状態に対応する前記第１および第２の警告ランプによる複数の異なる表示状態を視覚的に表示するように構成されていること
を特徴とする警告灯装置。
【請求項８】
請求項５〜７のうちのいずれか１項に記載の警告灯装置であって、
機械、プラント、または、車両により構成される第３の技術的装置の、少なくとも１つの動作状態を視覚的に表示するための、少なくとも１つの第３の点灯素子を備える少なくとも１つの第３の点灯ユニットを有する、第３の警告ランプが設けられ、
前記表示装置は、更に、前記第３の警告ランプの少なくとも１つの動作状態として、前記第３の技術的装置の少なくとも１つの前記動作状態についての前記第３の警告ランプによる表示状態を視覚的に表示するように構成されていること
を特徴とする警告灯装置。
【請求項９】
請求項８に記載の警告灯装置であって、
前記第３の警告ランプは、前記第３の技術的装置の複数の異なる動作状態を視覚的に表示するために設けられていること
を特徴とする警告灯装置。
【請求項１０】
請求項８または９に記載の警告灯装置であって、
前記表示装置は、前記第１、第２、および第３の技術的装置の複数の異なる動作状態に対応する前記第１、第２、および第３の警告ランプによる複数の異なる表示状態を視覚的に表示するように構成されていること
を特徴とする警告灯装置。
【請求項１１】
請求項１〜１０のうちのいずれか１項に記載の警告灯装置であって、
前記シグナルコラムは、少なくとも１つのモジュール点灯素子をそれぞれ備える、複数の交換モジュールを有すること
を特徴とする警告灯装置。
【請求項１２】
請求項１〜１１のうちのいずれか１項に記載の警告灯装置であって、
前記シグナルコラムの交換モジュールの数は、警告ランプの数に対応すること
を特徴とする警告灯装置。
【請求項１３】
請求項８〜１０のうちのいずれか１項に記載の警告灯装置であって、
前記シグナルコラムの点灯素子を包含する交換モジュールの数は、前記第１の警告ランプ、および／または、前記第２の警告ランプ、および／または、前記第３の警告ランプの点灯ユニットの数に対応すること
を特徴とする警告灯装置。
【請求項１４】
請求項１〜１３のうちのいずれか１項に記載の警告灯装置であって、
監視対象である前記技術的装置の少なくとも１つが、少なくとも１つの電子制御装置を有すること
を特徴とする警告灯装置。
【請求項１５】
請求項１〜１４のうちのいずれか１項に記載の警告灯装置であって、
前記電子警告ランプ接続手段は、監視対象である前記技術的装置の電子制御装置とは別個に構成されていること
を特徴とする警告灯装置。
【請求項１６】
請求項１〜１５のうちのいずれか１項に記載の警告灯装置であって、
監視対象である技術的装置間でデータおよび／もしくは制御信号を伝送するための少なくとも１つの電子機器接続手段が設けられていること
を特徴とする警告灯装置。
【請求項１７】
請求項１６に記載の警告灯装置であって、
前記電子警告ランプ接続手段は、前記電子機器接続手段とは別個に構成されていること
を特徴とする警告灯装置。
【請求項１８】
請求項１〜１７のうちのいずれか１項に記載の警告灯装置であって、
前記電子警告ランプ接続手段は、無線による制御信号および／もしくはデータの伝送のための少なくとも１つの送信機ならびに／または受信機を備えること
を特徴とする警告灯装置。
【請求項１９】
請求項１〜１８のうちのいずれか１項に記載の警告灯装置であって、
前記警告ランプのそれぞれ、ならびに／または、前記点灯ユニットのそれぞれ、ならびに／または、前記シグナルコラムのそれぞれ、ならびに／または、前記交換モジュールのそれぞれには、少なくとも１つのアドレスおよび／もしくは１つのコードが割り当てられること
を特徴とする警告灯装置。
【請求項２０】
請求項１〜１９のうちのいずれか１項に記載の警告灯装置であって、
前記警告ランプのうちの少なくとも１つ、および／または、前記点灯ユニットのうちの少なくとも１つ、および／または、前記シグナルコラムのうちの少なくとも１つ、および／または、前記交換モジュールのうちの少なくとも１つの前記動作状態を記憶するために、少なくとも１つの電気的データメモリが設けられていること
を特徴とする警告灯装置。
【請求項２１】
請求項１〜２０のうちのいずれか１項に記載の警告灯装置であって、
前記警告ランプのうちの少なくとも１つ、および／または、前記点灯ユニットのうちの少なくとも１つ、および／または、前記シグナルコラムのうちの少なくとも１つ、および／または、前記交換モジュールのうちの少なくとも１つの前記動作状態を視覚的に表示するために、少なくとも１つのディスプレイ装置が設けられていること
を特徴とする警告灯装置。
【発明の詳細な説明】
【技術分野】
【０００１】
本発明は、例えば機械、プラント、車両等の第１の技術的装置の少なくとも１つの動作状態、特に複数の異なる動作状態を視覚的に示すための、少なくとも１つの第１の点灯素子を備える少なくとも１つの第１の点灯ユニットを有する第１の警告ランプと、これに対応する少なくとも１つの第２の警告ランプと、を備えた、請求項１のプリアンブル部分に係る警告灯装置に関する。
【背景技術】
【０００２】
例えば本出願人のドイツ特許出願公開第１９  ５１３  ９８３  Ａ１号公報から、多数の交換モジュールを有するシグナルコラムはすでに公知であり、個々の交換モジュールを相互に機械的および電気的に接続するために、差し込みロック装置が設けられている。この構成においては、交換モジュールの組立てによって、すでに電気的接触が実現されている。
【０００３】
一般的に、１つのシグナルコラムの中で、このような交換モジュールは異なった色を有する。交通信号機の色の組み合わせが高い頻度で選択され、例えば、緑色が、不良のない動作を表し、赤色が危険または機械のシャットダウンなどを表す。
【０００４】
各交換モジュールは、１つの白熱灯、または１つもしくは複数の発光ダイオードを有する。これら白熱灯および発光ダイオードは、すでに対応する色が付けられているか、もしくは白色光を発し、対応する色が付けられた覆いがその交換モジュールを所望の発光色に定める。
【０００５】
実際に、監視対象である技術的装置の動作状態は、その場にいる操作者だけでなく、場合によっては監督者、指揮者、またはその技術的装置の側に常にいるわけではない操作者にとっても重要であり得ることが分かっている。したがって、技術的装置の動作状態または警告ランプの動作状態を、例えば、対応するＳＭＳ等により無線通信を介して、例えば操作者の携帯電話に伝達する、上記交換モジュールまたはシグナルコラムに対応する交換モジュールまたはシグナルコラムが、例えばドイツ特許第１００  ５８  ６９５号公報またはドイツ特許出願公開第１０  ２００４  ０１２３  ０９  Ａ１号公報から、すでに公知である。
【０００６】
警告灯コラムのこのような遠隔監視は、技術的装置の実際の運用または監視をそれぞれ向上させたが、特に、複数または数多くの監視対象である技術的機械を有し、それに対応するシグナルコラムも有する大きな工場においては、これが限られた範囲内でしか有効でなかったり、表示する動作状態を割り当てる能力が損なわれたりすることも分かった。しかし、これは、しばしば、シグナルコラムすなわち警告ランプによって果たされるべき安全に関連する監視機能の問題となるため、複数の技術的装置または警告ランプの監視における相当な安全上のリスクを意味する。
【０００７】
そのため、それぞれにシグナルコラムを有する複数の機械を備えたネットワークが、ドイツ特許出願公開第１０１  ２４  １３２  （Ａ１）号公報からすでに公知であり、これらのシグナルコラムは、それらの機械の共通伝送経路を介して、ネットワークにリンクされている。これにより、シグナルコラムの動作状態は、コンピュータまたはスクリーンによって集中的に表示することができる。
【０００８】
しかし、この装置の不都合な点は、製造機械とシグナルコラムとスクリーンとを備えたネットワークが、統一的な制御または通信システムを有していなくてはならないことである。だが実際には、一緒にネットワーク化された機械のほかに、独立した機械および／または様々な互換性のないバスシステムを有する機械や機械群もしばしばある。特に、長い歴史のある比較的大きな工場では、数十年または数世代に亘って機械が使用されている場合もある。場合によっては、例えば動作状態の中央監視を行うことが出来るように、これらの機械を一緒にネットワーク化することが不可能であったり、例えばドイツ特許出願公開第１０１  ２４  １３２  （Ａ１）号公報に従って、機械の動作状態の中央監視を行うことが出来るように一緒にネットワーク化するには、相当な技術的または電子的な複雑さを伴ったりする。
【発明の概要】
【発明が解決しようとする課題】
【０００９】
本発明の目的は、特に、複数の異なる技術的装置の監視を、先行技術の場合と比べて非常に簡単に実行し得る、少なくとも２つ以上の警告ランプを備えた警告灯装置を提案することである。
【課題を解決するための手段】
【００１０】
最初に言及したタイプの警告灯装置を始めとして、この目的は請求項１の特徴事項により達成される。従属項において言及されている手段は、本発明の好適な実施形態および展開例を提供する。
【００１１】
すなわち、少なくとも２つの警告ランプを備えた本発明による警告灯装置は、少なくとも１つの第２の点灯素子またはモジュール点灯素子をそれぞれ備える、少なくとも１つの第２の交換モジュールを有するシグナルコラムとして、表示装置が構成されるという点によって特徴付けられる。先行技術による、表示装置としてのスクリーンと比べると、シグナルコラムとして構成される表示装置は、はるかに少ない費用で製造可能であり、費用対効果が高いことは明らかであり、より好適にシグナルコラムシステム／ネットワークに組み込むことが可能である。
【００１２】
本発明を利用することにより、表示コラム、特にその中心となる要素について、シグナルコラムとして構成されることが多い警告ランプの表示原則を採用することが可能である。これにより、オペレータは統一された１つの警告表示システムを理解していればよく、起こり得る混乱がそれにより避けられるため、本発明による警告灯装置の動作信頼性が向上する。
【００１３】
監視者が警告ランプの動作状態を特に良好に、中心位置から監視できるように、表示装置として用いられるシグナルコラムを、警告ランプとほぼ無関係に目立つ場所に配置し得ることも、上述の方法で実現される。これに関連して、シグナルコラムは、有利には、少なくとも１つのモジュール点灯素子をそれぞれ備える複数の交換モジュールを有する。
【００１４】
本発明の特別な展開例においては、少なくとも１つの第２の点灯素子および／または第３の点灯素子を備える、少なくとも１つの第２の点灯ユニットおよび／または第３の点灯ユニットを有する、少なくとも１つの第２の警告ランプおよび／または第３の警告ランプが、機械、プラント、車両等のような第２の技術的装置の、少なくとも１つの動作状態、特に複数の異なる動作状態を視覚的に表示するように設けられる。更に、表示装置は、少なくとも第１の警告ランプおよび第２の警告ランプおよび／または第３の警告ランプの、少なくとも１つの動作状態、特に複数の異なる動作状態を視覚的に表示するように構成される。
【００１５】
第２の警告ランプおよび／または第３の警告ランプは、第１の技術的装置または本発明による表示装置として、それぞれ構成され得ること、または構成されることが好ましい。そして更に、少なくとも２つの警告ランプと表示装置との間でデータおよび／または制御信号を伝送するために少なくとも１つの電子接続手段が備えられる。このようにして、第１の警告ランプは、本発明による表示装置として、第２の警告ランプの１つまたは複数の動作状態を視覚的に表示し得る。
【００１６】
本発明によれば、表示装置として構成されるシグナルコラムは、有利な電子接続手段を利用することにより、警告ランプをコピーしたり、その他の警告ランプの少なくとも１つの動作状態を表示もしくはコピーしたりすることが可能である。
【００１７】
警告灯装置内、すなわち警告ランプのシステム／組合せ内で、少なくとも３つまたはそれ以上の警告ランプを使用する場合、各警告ランプが、上記警告ランプのうちの、もしくは実質的に他の全警告ランプのうちの、少なくとも１つをコピーしたり、それらの各動作状態を表示したりできることが好ましい。これによって、例えば、どの警告ランプが、もしくはその動作状態が、特定の警告ランプによって表示されるかを、好適な選択装置を利用することにより選択し得る。このことは、オペレータが、遠くにあるもしくは離れた第３の警告ランプの動作状態を、例えば第１の警告ランプに表示させようとすることを意味する。本発明と、場合により好適な選択装置と、を利用することにより、オペレータは、この例示的ケースにおいては、第１の警告ランプが第３の警告ランプの現在の動作状態を好適に表示するように、例えば第３の警告ランプを選択する。これは、警告灯システム内に存在する他の警告ランプについても、同様に実行可能である。
【００１８】
本発明によれば、特定の場所、すなわち、単独の警告ランプまたは表示装置として構成されたシグナルコラムのあるエリアに、それぞれいる単独のオペレータは、大きな努力をしなくても、他の警告ランプの監視、ひいては、例えばＣＮＣ（コンピュータ数値制御）工作機械、印刷機、コンベヤーベルト等、監視対象である他の技術的装置の動作状態の監視もすることができる。
【００１９】
例えば、非常に多様な電子回路または制御システムまたはオペレーティングシステムをそれぞれ有する、工作機械、車両等のような非常に多様な装置が、本発明による警告灯装置によって、一緒に集中的に監視され得ることが、本発明の特に有利な点である。これに関連して、警告ランプの共通の電子システムもしくは共通の制御システムが、有利に用いられる。
【００２０】
大規模な製造現場または産業工場においては、例えば、前世紀半ばから使用されている、電子制御が後付けされた、つまり後にインストールされた機械が見受けられるのと同様に、前世紀末から使用されている、特別な電子制御バスを備えた機械、そしてまた、自動化された方法で運営される新しいバスシステムを備える、最新式の非常に複雑な機械が同時に見受けられるのは、一般的なことである。本発明は、非常に多様化なこれらの機械の、非常に多様な制御システムまたはバスシステム等にはむしろアクセスせず、警告ランプにアクセスし、本発明に従ってこれらを好適に接続する。したがって、複雑なインターフェイス等を利用して非常に多様化なこれらの機械を入念に接続したり、もしくは部分的にほとんど実現不可能な接続を行ったりすることは、本発明を利用すれば不要となる。
【００２１】
その結果、本発明によれば、非常に多様な技術的装置のネットワーク化を、この有利な警告灯装置を利用することにより、多額の費用を投入することなく実現できる。これは、複数の技術的装置または複数の警告ランプそれぞれの、監視における大幅な改善を意味し、監視対象である技術的装置の動作信頼性を決定的に増加させる結果にも、主としてつながる。
【００２２】
特定の警告ランプによって動作状態が表示されるべき各警告ランプまたは表示装置として構成されたシグナルコラムを選択するための、上述した選択装置とは別に、例えば、警告灯装置に統合された各警告ランプの定期的な処理によるまたは一時的に連続した表示を提供することが可能であることも、更に考えられ得る。この構成においては、例えば、別個の交換モジュールおよび／または数字表示器等のような、有利であり場合によって別個の表示素子を設けることも可能である。それにより、各オペレータは、どの警告ランプが、対応する警告ランプによって現在表示またはコピーされているかを検知する。
【００２３】
その代わりとしてまたはそれと併せて、特定のシグナルコラム、すなわち表示装置として構成されたシグナルコラムによって各警告ランプをコピーするために、特別な警告ランプを備えることも可能である。特別な警告ランプは、例えば他の警告ランプの、ひいては技術的装置の、特別な動作状態を表示する。これが意味し得るところは、例えば、本発明の好適な実施形態において、表示装置として構成されたシグナルコラムが、例えば赤色点灯ユニットのような本質的に同一の色を有する複数の点灯ユニットを備えるということである。この方法により、表示装置として構成されたシグナルコラムは、他の警告ランプの「赤色」、すなわち特に重大な動作状態を、主として表示することが可能である。
【００２４】
とりわけ考えられるのは、本発明による合計６つの警告ランプを備える警告灯装置において、ここでは中央警告ランプと称される本発明によるシグナルコラムが、例えば５つの赤色点灯ユニットを有するということである。例えば、１番下の点灯ユニットは、第１の更なる警告ランプに割り当てられ、第１の更なる警告ランプにおいて、対応する赤色点灯ユニットが点灯した場合に、点灯される。これは、第２の警告ランプに対応して、中央警告ランプの下から２番目の点灯ユニットにも同様に適用され、第３の警告ランプに対応して、中央警告ランプの３番目の点灯ユニットにも同様に適用される、といった具合である。本実施形態では、例えば、他の各警告ランプを選択するための、上述の選択装置は必要ない。
【００２５】
本発明によるそのような中央警告ランプ、すなわち表示装置として構成されたシグナルコラムが特に好適であるのは、例えば工場の入口エリア、および／または工場の管理者、監督者等の見える範囲内、もしくは管理者、監督者等の場所といった、特別な場所に配置できる点である。これによって、他の警告ランプの（特別な）動作状態は、有利な第１の警告ランプまたは中央警告ランプを利用することによって、集中的に監視および検知され得る。
【００２６】
上記の例示的実施形態において、表示装置として構成されたシグナルコラムの点灯ユニットの数、または中央警告ランプの点灯ユニットの数は、有利にはその他の警告ランプの数に、基本的に対応することが好ましい。
【００２７】
表示装置として構成されたシグナルコラムが更なる他の警告ランプを主にコピーする、上記で示された例示的実施形態、または、警告灯装置内の各警告ランプが他の警告ランプのそれぞれを主にコピーする上記で示された例示的実施形態において、本発明によるシグナルコラムの点灯ユニットの数と、全警告ランプの点灯ユニットの数とは、基本的に等しい。
【００２８】
接続手段は、電気接続ケーブルを備えることが好ましい。接続ケーブルを利用して既存の警告ランプを接続することは比較的容易であり、コスト効率よく実現可能である。例えば、表示装置として構成されたシグナルコラムの制御装置は、警告ランプの制御装置に好適に接続され得る。
【００２９】
その代わりまたはそれと併せて、異なる警告ランプの個々の点灯ユニットもまた、特に接続ケーブルを介して、好適に相互接続され得る。
上述した代表的実施形態を利用すれば、複数の点灯ユニットまたは警告ランプがそれぞれ、共通の回路で電気的に相互接続されるような接続が実現可能である。点灯ユニット／交換モジュールは、パラレルに電気的に相互接続されることが好ましい。そのような好適な電気的相互接続が成立すれば、特定の警告ランプの動作状態を、別の警告ランプおよび／または中央警告ランプに、容易にコピーまたは伝送することができる。
【００３０】
接続手段は、少なくとも２つの警告ランプ／シグナルコラムの間で無線データを伝送するための、少なくとも１つの送信機および／または受信機を備えることが好ましい。２つの警告ランプ／シグナルコラムの間でそのような無線接続を利用すれば、特にフレキシブルな接続が可能になる。この構成においては、対応する警告ランプ間、または点灯ユニットの間等に、ケーブルは敷設されない。
【００３１】
この無線接続を利用することで好適に実現され得るのは、特に、本発明による警告ランプ／シグナルコラム、すなわち本発明による警告灯装置によって監視される、複数の技術的装置すなわち機械を備える工場に、本発明を後付けすることである。
【００３２】
本発明の特別な展開例において、上記またはそれぞれの点灯ユニット／交換モジュールは、点灯ユニットの動作状態を制御するための、少なくとも１つの制御装置を備え、その制御装置は、デジタルデータ伝送装置にアドレス可能なインターフェイスを有する。これにより、従来一般的にそうであったように、電力供給装置により電力供給された場合に点灯ユニットが点灯するのではなく、デジタルデータ伝送装置が、アドレス指定されたデータ、または、点灯ユニットの対応するアドレスを有するデータを、点灯ユニットのアドレス可能なインターフェイスに伝送した場合に、点灯ユニットは点灯する。それに対応して、インターフェイスは、対応して伝送されたアドレスすなわち正しいアドレスを有する１または複数の点灯素子に、電力を有利に切替または接続する。それに対応して、電力供給とは別個に、情報の伝送が行われる。このような状況において、１つの点灯ユニット、もしくは数個から多数の点灯ユニットに電力を供給するのに、２つの電源導体素子すなわち電源供給ケーブル等が現在のところ適している。
【００３３】
有利には、本発明による複数の点灯ユニット／交換モジュールが、電力供給装置に対して直列に相互接続される、または、１以上の点灯ユニットに対して単一回路が備えられる。点灯ユニットの動作すなわち点灯ユニットの点灯は、アドレス指定によって実現される。これが意味するのは、例えば、８個等複数の点灯ユニット／交換モジュールの場合、デジタルデータ伝送装置によって、アドレス可能なインターフェイスに伝送される関連アドレスが、特定のインターフェイスまたは点灯ユニットの、好適に定められたアドレスに対応する場合に、特定の点灯ユニットが点灯されるということである。それに対応して、インターフェイスは、点灯ユニットの点灯素子を、電力供給装置に切替または接続する。
【００３４】
データ伝送装置によって伝送されるアドレスが、点灯ユニット／交換モジュールの特定されたアドレスに対応しない場合は、対応する点灯ユニットのインターフェイスは切替を行わない。これが意味するのは、点灯素子と電力供給装置との間に接続は確立されないということである。
【００３５】
本発明の特別な展開例において、少なくとも１つのアドレスおよび／または１つのコードが、警告ランプ／シグナルコラム、および／または、点灯ユニット／交換モジュールのそれぞれに基本的に割り当てられる。警告灯装置内に存在する個々の警告ランプ／点灯ユニットのそのようなアドレッシングもしくはコード化により、明確で好適な割り当てが実現可能である。これは、とりわけ警告ランプ間での無線データ伝送の場合に、特に好適である。
【００３６】
本発明によれば、例えば、点灯ユニットのアドレッシングは、例えば少なくとも２桁の数字またはコード化により実現可能である。２桁の数字においては、例えば十の位が各警告ランプを表し、一の位がこの警告ランプの各点灯ユニットに固有の数を表す。別のアドレス化またはコード化もまた考えられ得る。
【００３７】
本発明の有利な変形例においては、警告ランプ／シグナルコラムのうちの少なくとも１つの動作状態、および／または、点灯ユニットのうちの少なくとも１つの動作状態を記憶するために、少なくとも１つの電気的データメモリが備えられる。そのような有利なデータメモリを利用することによって、例えば統計的評価が、特に、例えば１ヶ月または１年といった特定の動作期間の統計的評価が、好適に実現される。例えば、監視対象である技術的装置の休止時間を、それに応じて算出すなわち確定することが可能である。これに関連して、記憶された動作状態は、有利に追加または累積して、詳細に表示することが可能である。
【００３８】
有利には、警告ランプ／シグナルコラムのうちの少なくとも１つの動作状態、および／または、点灯ユニットのうちの少なくとも１つの動作状態を、視覚的に表示するために、少なくとも１つのディスプレイ装置が備えられる。特に、ディスプレイ装置はスクリーンとして構成される。そのような有利な視覚表示によって、複数の警告ランプの集中監視または遠隔監視の全く新しい可能性が得られる。
【００３９】
更に、例えば円グラフ、棒グラフ等のような非常に多様な方法で、ストアされた動作状態または統計的に評価された動作状態の、非常に多様な視覚的表示を、特にディスプレイ装置を使用して実現することができる。
【００４０】
ディスプレイ装置は、全ての警告ランプ／シグナルコラム、および／または、点灯ユニットおよび／または、接続手段を表示できるように構成されることが好ましい。これにより、関連する全ての構成要素すなわち警告ランプ／点灯ユニットの総合的な監視が好適に可能となる。これは、例えば個々の警告ランプ、ひいては、機械、具体的には工作機械等のような個々の技術的装置を、場合によっては、好適な記憶を用い遅延的に観察または制御し、また／または統計的な計算を行い、またこれらを好適に表示して、集中的にすなわち一括して検出するために、特に工場長、監督、経営者等にとって、非常に有利である。その結果、新規な方法で、監視対象である技術的装置の動作の最適化を実現することが可能になる。
【００４１】
統計的評価等の表示または記憶および計算のためには、好ましくはノート型コンピュータ、いわゆるＰＤＡ、および携帯電話や他の携帯電子メディアが特に非常に有利である。
特にコンピュータ、ノート型コンピュータ、ＰＤＡ等が用いられる場合、本発明による電子的接続手段はこれらの電子デバイスを含む。例えば、このような電子デバイスは、有利なインターフェイスすなわち市販のインターフェイスを介して、警告灯装置にリンクすなわち一体化される。これに関して、例えば、ＵＳＢ、ＲＳ２３２、イーサネット等のようないわゆるバスシステムを用いることができるだけでなく、ブルートゥース等の無線通信システムも用いることができる。本発明によれば、非常に多様な警告ランプの動作状態の表示を提供する、複雑なネットワークが実現される。このネットワークは、複数の警告ランプ／シグナルコラム、および／または別の構成要素、または中心となる構成要素、および／または中央検出装置、および場合によりコンピュータ、携帯電話、ＰＤＡ等を有する。
【００４２】
原理的に、本発明による警告灯装置の警告ランプは、少なくとも１つの点灯ユニット以外に、例えばセンサを有する音響ユニットまたはモジュール等のような、更なる装置を備えていてもよい。その更なる装置の動作状態または動作信号は、有利に処理または伝送され、場合により、上記の記載に従って、点灯ユニットの動作状態と同様に表示され得る。これによって、警告ランプの更なる機能が有利に実行され得る。
【００４３】
本発明に関しては、本発明に従って実現され得る警告灯装置すなわち警告ランプネットワークが、監視対象である技術的装置、具体的には製造および／または工作機械のネットワーク、および／または内部すなわちその機械の制御システムまたはバスシステムまたはネットワークの、場合によっては既存のネットワークに加えて、または既存のネットワークとパラレルに、すなわち独立して実現されることが、非常に重要である。これにより、時として工場に存在する、製造機械等の多数の異なるネットワークまたはバスシステムに一致させたり適合させたりする必要がなく、本発明を柔軟にかつ独立して利用することができる。
【図面の簡単な説明】
【００４４】
【図１】３つのシグナルコラムを有する、本発明による第１の警告灯装置を示す概略図である。
【図２】５つの警告ランプおよび１つの中央警告ランプを有する、本発明による第２の警告灯装置を示す概略図である。
【図３】５つの警告ランプおよび１つの中央コンピュータ監視システムを有する、本発明による第３の警告灯装置を示す概略図である。
【発明を実施するための形態】
【００４５】
本発明の例示的な実施形態を図面に示し、その詳細を以下に図面を参照して説明する。
図１は、それぞれ交換モジュール２を有する、シグナルコラム１としての３つの警告ランプを示しており、シグナルコラム１のうちの１つが、アンテナ１１によって、残る２つのシグナルコラム１のうちの１つに無線接続されている。シグナルコラム１は、カバー３によって上部が閉鎖されている。工作機械３０等のような非常に概略的にのみ示されている技術的装置、すなわち監視対象である技術的装置のそれぞれに、シグナルコラム１がそれぞれ基部４によって取り付けられている。詳細には示されていない技術的装置３０の動作状態は、ケーブル５を介してシグナルコラム１に提供される。この構成において、監視対象である技術的装置３０とシグナルコラム１（詳細には示されていない）との間の通信は、機械３０の制御装置３２によって、従来一般に用いられてきた方法で行われることが好ましい。しかし、有利にアドレス指定された交換モジュール２に対して、それぞれの動作状態をアドレス指定して伝送することも可能である。この変形例は、特にシグナルコラム１内で内部バスシステムが用いられる場合、非常に好適である。
【００４６】
前方のシグナルコラム１の監視対象である２つの装置、すなわち機械３０は、例えば機械接続手段３１によって、電気的に相互接続すなわちネットワーク化されている。第３の、すなわち後方のシグナルコラム１は、他の機械３０とネットワーク化されていない、移動可能な機械または車両として構成され得る単独の機械３０を監視する。
【００４７】
本発明によれば、シグナルコラム１は、データや制御信号をそれぞれやり取りすることができるよう、機械３０とはパラレルで、独立してネットワーク化すなわち相互接続されている。
【００４８】
更に、図１による警告灯装置は、本発明による警告ランプ群すなわちシグナルコラム１のうちの２つの間でデータまたは信号を伝送するための接続手段６を有する。示されている例示的な実施形態において、個々の点灯ユニットすなわち交換モジュール２は、それぞれ１本の電気ケーブルすなわち接続手段６により、相互に接続されている。
【００４９】
更に、図１による例示的な実施形態は、左前方の警告ランプすなわちシグナルコラム１の、最下部の点灯ユニットすなわち最下部の交換モジュール２と、右前方の警告ランプすなわちシグナルコラム１の最下部の交換モジュール２が、それぞれ点灯され、光７を放っていることを示している。したがって、上記の状態は、第１のシグナルコラム１の動作状態と第２のシグナルコラム１の動作状態とのコピーに関する。詳述しないが、各シグナルコラム１を動作させるために、この状況において好適な選択装置を備えることができる。例えば、第１動作モードでは、機械または工作機械等のような監視対象である技術的装置の動作状態を表示するために、ケーブル５を用いてシグナルコラム１を動作させ、第２動作モードでは、他の技術的装置もしくは第２の警告ランプすなわちシグナルコラム１の動作状態を表示するために、接続手段６を用いるか、もしくはアンテナ１１を介した無線接続によってシグナルコラム１を動作させる（一例を図１に示す）。
【００５０】
図２は、合計５つのシグナルコラム１を備えた、本発明による別の警告灯装置、すなわち第２の警告灯装置を概略的に示している。シグナルコラム１のうち４つは、工作機械３０等のような監視対象である対応する技術的装置２０，３０、つまりその装置の制御装置３２に、ケーブル５を介してそれぞれ好適に接続されている。本発明によれば、シグナルコラム１のうち１つは、アンテナ１１を用いて中央シグナルコラム８に無線接続されている。非常に様々な技術的装置は、それぞれの動作状態を、対応するケーブル５を介して各シグナルコラム１に伝送する、非常に様々な機械２０，３０である。機械３０のうちの２つ、つまりその機械の制御装置３２は、それぞれ、機械接続手段３１によりネットワーク化すなわち相互接続されており、機械３０のうちの２つはその他の機械にネットワーク化されていない。更に、示された例における機械３０のうちの１つは、例えば、自身の電子制御装置２２または内部バスシステムも備えた運搬牽引車のような、車両２０である。
【００５１】
それぞれローマ数字が付された５つのシグナルコラム１とは別に、中央シグナルコラム８が備えられている。カバー３または基部４に加えてアンテナ１１を有する中央シグナルコラム８は、本例の場合、合計５つの交換モジュール２を備えている。
【００５２】
図２において交換モジュール２の隣に示されているローマ数字は、中央シグナルコラム８の各交換モジュール２と、対応するローマ数字が付されたシグナルコラム１との対応関係をそれぞれ示す目的で付されたものである。
【００５３】
図２による例示的な実施形態において、中央シグナルコラム８は、例えば５つの赤色交換モジュール２を備える。赤色交換モジュール２は、例えば、それぞれ関連付けられたシグナルコラム１の赤色点灯ユニット２、すなわち赤色交換モジュール２も点灯されている場合にのみ点灯、つまり光７を発する。一例として、シグナルコラム１の最上部の交換モジュール２が、それぞれ監視対象である技術的装置２０および３０の特に重大な動作状態を示す赤色交換モジュール２であると仮定する。
【００５４】
図２は、また、ローマ数字Ｖが付されたシグナルコラム１が、最上部の交換モジュール
２が光７を発しているような動作状態にあることを示している。本発明によれば、中央シグナルコラム８は、動作状態を対応して表示するものであり、ローマ数字Ｖを有する対応
する交換モジュール２、すなわち示されている例では最上部の交換モジュール２が、光７すなわち赤色光７を発している。したがって、中央シグナルコラム８が可視範囲内にある操作者は、場合によっては例えば１００メートル以上または別の建物内といった、中央シグナルコラム８から非常に遠く離れた位置にある、ローマ数字Ｖを付されたシグナルコラ
ム１が、監視対象である装置の重大な状態を表示していることを、非常に容易に見ることができる。
【００５５】
更に、図２は、ローマ数字IからIVを付された警告ランプすなわちシグナルコラム１が
、それぞれ動作状態にあり、最下部の例えば緑色の交換モジュール２が光７を発していることを示している。したがって、ローマ数字IからIVを付されたシグナルコラム１に対応
するように関連付けられた、中央シグナルコラム８の点灯ユニットすなわち交換モジュール２は、点灯されていない。
【００５６】
図２による第２の例示的な実施形態は、電気ケーブル接続手段６およびアンテナ１１を介した無線接続手段を有する。しかし、この構成においては、例えば中央シグナルコラム８の基部４とシグナルコラム１の基部４との間に、接続手段６が設けられる。
【００５７】
中央シグナルコラム８は、いわゆるマスタとして構成および動作させることができ、その他の警告ランプすなわちシグナルコラム１は、いわゆるスレーブとして構成および動作させることができる。
【００５８】
図３は、本発明による更なる第３の例示的な実施形態を示しており、５つのシグナルコラム１が、やはりローマ数字IからＶにより識別される。更に、それらのシグナルコラム
１の動作状態を表示するためのスクリーン１０を備えた中央コンピュータ９が設けられている。
【００５９】
示されている例示的な実施形態では、本発明による電気的接続は、各アンテナ１１を用いて完全にワイヤレスすなわち無線で実施される。例えば、ローマ数字Ｉ、II、およびＶを付されたシグナルコラム１の基部４は、それぞれアンテナ１１を備える。これに対して、ローマ数字IIIおよびIVを付されたシグナルコラム１は、アンテナ１１を有する交換モジュールとして構成された無線モジュール１２を、それぞれ備える。
【００６０】
一方、監視対象である機械３０は、警告ランプのネットワークとは別に構成される２つのネットワークを形成しているが、その２つのネットワークは、ケーブル接続手段３１を介して、対応する通信を行う。この構成において、２つの機械ネットワークのうちの１つは、機械３０のうちの３つを内部の機械制御装置３２を含めて中央制御する機械センタ３３を備える。
【００６１】
図３によるシグナルコラム１は、詳細に図示されてはいない工作機械等のような技術的装置の様々な動作状態を、それに対応して表示するための３つの点灯ユニット、すなわち交換モジュール２がそれぞれ設けられている、という共通点を有する。
【００６２】
更に、アンテナ１１を有するいわゆるルータ１３を設けることも可能である。ルータ１３は、より長い無線リンクを好適に形成するために、例えばコンピュータ９と、特に遠く離れたシグナルコラム１との間に配置可能である。必要であれば、複数のシグナルコラム１を１つのルータ１３に割り当てることも可能であり、複数のシグナルコラム１に代わって、対応する無線信号をルータ１３がコンピュータ９に伝送する。
【００６３】
例えば、コンピュータ９のアンテナ１１は、具体的にはＵＳＢプラグ等のようなプラグイン接続によってコンピュータ９に接続可能な、別個の構成要素として構成されてもよい。コンピュータ９において、警告ランプ１および８、または既存の構成要素のそれぞれに関して、ネットワーク・トポロジー、または、現在もしくは過去の各動作状態を集中的に検出、監視、および表示する、好適なソフトウェアを用いてもよい。この方法により、例えばコンピュータ９のデータメモリを用いて、特に、１月、１年といった所望の期間に亘って時系列的に記憶された動作状態を、統計的に評価し視覚化することも実現可能である。
【００６４】
原理的には、図示または記述された発明の全ての例において、警告ランプ１、点灯ユニット２、中央シグナルコラム８、ルータ１３、およびコンピュータ９等の間における、好適な双方向通信が提供され得る。
【００６５】
シグナルコラム１、もしくは点灯ユニットすなわち交換モジュール２のコード化またはアドレス指定が特に効果的であるのは、シグナルコラム１とコンピュータ９との無線接続手段６、または警告ランプ１相互間での無線接続手段６に、無線モジュール１２、もしくは無線アンテナ１１が用いられる場合である。これに関連して、内部バスアドレス指定方式または内部バスシステムが、本発明によるシグナルコラム１の内部に、および／または、本発明による警告灯装置の内部に、有利に設けられ得る。この内部バスシステムは、工作機械等のような、監視対象である別の技術的装置とはほとんど無関係に実行され得る。
【００６６】
図３による例示的な実施形態において、例えば、中央コンピュータ９は、例えばローマ数字Ｉを付されたシグナルコラム１の、データおよび動作状態の両方をそれぞれ受信することが可能であり、必要であれば、受信したデータおよび動作状態を、別の、例えばローマ数字IIを付されたシグナルコラム１に転送することが可能である。その結果、ローマ数字IIを付されたシグナルコラム１は、特殊な場合において、ローマ数字Ｉを付されたシグナルコラム１の動作状態を表示することになる。このように、本発明によれば、例示されている警告ランプシステムが、コンピュータにより統合されて、シグナルコラム１間が接続状態にある。したがって、例えばこの通信に特に関わりを持つ中央コンピュータ９を使用せずに、ルータ１３を使用することも可能である。
【００６７】
一般的に、警告灯装置は、示されている構成要素とは別に、主として無線接続手段、すなわちアンテナ１１をそれぞれ用いることによって、警告ランプ１および８の動作状態の１つ以上を、例えば携帯電話、ＰＤＡ、携帯型パソコンすなわちノート型パソコン等のような、別個の追加的な装置に伝送することが可能である。好適な無線通信が用いられる場合、例えばＧＳＭ（世界移動電話規格）、ＵＭＴＳ（ユニバーサル移動電話システム）、ＷＬＡＮ（無線ＬＡＮ）、ブルートゥース、ジグビー等、公知の無線伝送システムにアクセスすることが可能である。
【００６８】
本発明によれば、特に無線モジュール１２として構成された交換モジュール１２を用いることで、複数のシグナルコラム１および８により好適な警告ランプネットワークを形成する場合に、実質的に交換モジュールから構成されている／いた従来のシグナルコラム１を大きな出費なく改造または改良できることが、原則的に有益である。この構成においては、警告ランプネットワークは、監視対象である装置２０および３０の内部通信に適合する必要はない。実際には、製造現場または機械工場等の中で、各種内部機械通信システムは、ネットワーク化されていたり、ネットワーク化されていなかったり、もしくは、部分的にのみネットワーク化されていたりするのがしばしば見受けられる。本発明によれば、大きな出費をせずに（特別なソフトウェアもハードウェアも必要とせずに）、警告ランプ／シグナルコラム１および８の、単独または並列の通信、すなわちネットワークをセットアップすることが今や可能である。この警告ランプネットワークは、例えば、無線モジュール１２を設置し、ソフトウェアをコンピュータ９にダウンロードすることによって、数分以内に実行可能である。
【００６９】
対照的に、ドイツ特許出願公開第１０１  ２４  １３２号公報に記載の先行技術においては、機械の通信に整合または適合する通信を開発し、導入しなければならず、そのためにインターフェイスを開発しなければならないが、一般的に実行するのに費用がかかる。したがって、そのようなネットワーク構造を構築するには、開発のための非常に大きな労力と、ハードウェア、ソフトウェア、そしてまた、時間が必要となり、経済的に見て不利である。
【符号の説明】
【００７０】
１  シグナルコラム
２  交換モジュール
３  カバー
４  基部
５  ケーブル
６  接続手段
７  光
８  中央シグナルコラム
９  コンピュータ
１０  スクリーン
１１  アンテナ
１２  無線モジュール
１３  ルータ
２０  車両
２２  制御装置
３０  機械
３１  接続手段
３２  制御装置
３３  機械センタ
【図１】
0005253356.tif 000002
【図２】
0005253356.tif 000003
【図３】
0005253356.tif 000004